(57)【要約】      （修正有）【課題】積み重ねた時に閉塞板が嵩張らない足場板側縁間の隙間閉塞構造を提供する。【解決手段】仮設足場の並列された足場板の側縁間の隙間閉塞構造であって、隙間の両側の足場板側縁上面に亘る閉塞板１１と、閉塞板に設けた上下方向の起伏板と、起伏板に上下に移動可能に設けたロック片及びロック片の上部に設けた起伏自在のレバー片からなるロック機構１０とを有し、ロック片の下端は上向きコ字状の係止部となっている。レバー片を起立させた状態で、ロック片を起伏板に対して上下方向に移動し、レバー片を倒伏させて起伏板に係止させてロック片の下降を阻止する。ロック片を上方に移動すると、係止部のコ字状の先端上向き係止片が足場板の断面コ字状側縁を越えて側縁の内側に位置し、レバー片が起伏板に係止すると、係止片の足場板側縁の内側位置が維持されて閉塞板が足場板に取付けられる。起伏板を倒して閉塞板を積み重ねれば、嵩が低いものとなる。【選択図】図１３
0003221495.tif 000002
【実用新案登録請求の範囲】
【請求項１】
仮設足場の並列された隣接する足場板（２、２）の隙間（Ｓ）を閉塞する閉塞板構造であって、前記隙間（Ｓ）の両側の足場板（２）の側縁（２ｂ）上面に亘る閉塞板（１１）と、その閉塞板（１１）の側縁に起伏可能に設けた起伏板（１２）と、その起伏板（１２）に設けられて前記足場板（２）の側縁（２ｂ）に係止するロック機構（１０）と、を有する足場板の隙間閉塞用閉塞板構造。
【請求項２】
上記ロック機構（１０）は、上記起伏板（１２）に上下に移動可能に設けた上下方向のロック片（１３）と、そのロック片（１３）の下端の上向きコ字状に折れ曲がった係止部（１８）を有し、
上記起伏板（１２）の起立状態で、前記起伏板（１２）を揺動させながら、上記係止部（１８）のコ字状の先端上向き係止片（１８ｂ）が上記足場板（２）の側縁（２ｂ）を越えてその側縁（２ｂ）の内側に位置すると共に、その係止部（１８）の上向き係止片（１８ｂ）の前記足場板側縁（２ｂ）の内側位置が維持されることを特徴とする請求項１に記載の足場板の隙間閉塞用閉塞板構造。
【請求項３】
上記ロック機構（１０）は、上記起伏板（１２）に上下に移動可能に設けた上下方向のロック片（１３）と、そのロック片（１３）の上部に設けた起伏自在のレバー片（１４）と、そのロック片（１３）の下端の上向きコ字状に折れ曲がった係止部（１８）を有し、
上記起伏板（１２）の起立状態で、上記レバー片（１４）を起立させることによって、前記ロック片（１３）が起伏板（１２）に対して上下方向に移動し、前記レバー片（１４）を倒伏することによりそのレバー片（１４）が起伏板（１２）に係止して前記ロック片（１３）の下降を阻止し、
上記ロック片（１３）の上方への移動によって、上記係止部（１８）のコ字状の先端上向き係止片（１８ｂ）が上記足場板（２）の側縁（２ｂ）を越えてその側縁（２ｂ）の内側に位置すると共に、上記レバー片（１４）が起伏板（１２）に係止した際、前記係止部（１８）の上向き係止片（１８ｂ）の前記足場板側縁（２ｂ）の内側位置が維持されることを特徴とする請求項１に記載の足場板の隙間閉塞用閉塞板構造。
【請求項４】
仮設足場の並列された足場板（２）の側縁（２ｂ）間の隙間（Ｓ）の閉塞構造であって、前記隙間（Ｓ）の両側の足場板（２）の側縁（２ｂ）上面に亘る閉塞板（１１）と、その閉塞板（１１）の側縁に起伏可能に設けた起伏板（１２）と、その起伏板（１２）に設けられて前記足場板（２）の側縁（２ｂ）に係止するロック機構（１０）と、を有する足場板の隙間閉塞構造。
【請求項５】
上記ロック機構（１０）は、上記起伏板（１２）に上下に移動可能に設けた上下方向のロック片（１３）と、そのロック片（１３）の下端の上向きコ字状に折れ曲がった係止部（１８）を有し、
上記起伏板（１２）の起立状態で、前記起伏板（１２）を揺動させながら、上記係止部（１８）のコ字状の先端上向き係止片（１８ｂ）が上記足場板（２）の側縁（２ｂ）を越えてその側縁（２ｂ）の内側に位置すると共に、その係止部（１８）の上向き係止片（１８ｂ）の前記足場板側縁（２ｂ）の内側位置が維持されることを特徴とする請求項４に記載の足場板の隙間閉塞構造。
【請求項６】
上記ロック機構（１０）は、上記起伏板（１２）に上下に移動可能に設けた上下方向のロック片（１３）と、そのロック片（１３）の上部に設けた起伏自在のレバー片（１４）と、そのロック片（１３）の下端の上向きコ字状に折れ曲がった係止部（１８）を有し、
上記起伏板（１２）の起立状態で、上記レバー片（１４）を起立させることによって、上記ロック片（１３）が起伏板（１２）に対して上下方向に移動し、前記レバー片（１４）を倒伏することによりそのレバー片（１４）が起伏板（１２）に係止して前記ロック片（１３）の下降を阻止し、
上記ロック片（１３）の上方への移動によって、上記係止部（１８）のコ字状の先端上向き係止片（１８ｂ）が上記足場板（２）の側縁（２ｂ）を越えてその側縁（２ｂ）の内側に位置すると共に、上記レバー片（１４）が起伏板（１２）に係止した際、前記係止部（１８）の上向き係止片（１８ｂ）の前記足場板側縁（２ｂ）の内側位置が維持されることを特徴とする請求項４に記載の足場板の隙間閉塞構造。
【考案の詳細な説明】
【技術分野】
【０００１】
この考案は、仮設足場の並列された足場板の側縁間の隙間を閉じる足場板側縁間の隙間閉塞構造及びその閉塞用閉塞板構造に関するものである。
【背景技術】
【０００２】
例えば、仮設足場には、この考案の一実施形態を示す図１を参照して説明すると、建地材となる縦柱等の前後一対の支柱１、１の複数を建物Ｈに沿って所要間隔で立設し、その建物Ｈに沿った支柱１、１間の高さ方向の適宜位置に足場板（踏板）２を設けるとともに、その足場板２の前面に（又は後面にも）手摺り付筋交い３を設けた構造のものがある（特許文献１）。
【０００３】
この仮設足場において、足場板２は複数枚が並列にして使用され、その並列された足場板２、２の間には、支柱１、１間の規格と足場板２の幅の規格との相違から、隙間Ｓが生じる場合がある。
このため、従来から、その隙間Ｓを塞ぐ構造として種々の考案が提案されている（特許文献３〜７参照）。
【０００４】
しかし、特許文献３〜７記載の足場板側縁間の隙間閉塞構造は、ばねを使用したり、その操作が煩雑であったりと種々の問題がある。
このため、本願出願人は、図１４、図１５に示すように、仮設足場の並列された足場板２の側縁間の隙間Ｓの両側の足場板２の側縁上面に亘る閉塞板１１と、その閉塞板１１に設けられた上下方向の中央断面円弧状案内板１２’と、その案内板１２’の弧状部内に上下に移動可能に設けたロック片１３と、そのロック片１３の上部に設けた起伏自在のレバー片１４とを有し、そのロック片１３の下端は上向きコ字状に折れ曲がった係止部１８を有し、前記レバー片１４を起立させることによって、前記ロック片１３が案内板１２’に対して上下方向に移動し、前記レバー片１４を倒伏することによりそのレバー片１４が案内板１２’に係止してロック片１３の下降を阻止し、ロック片１３の上方への移動によって、係止部１８のコ字状の先端上向き係止片１８ｂが足場板２の断面コ字状側縁を越えてその側縁の内側に位置すると共に、レバー片１４が案内板１２’に係止した際、前記係止部１８の上向き係止片１８ｂの足場板側縁の内側位置が維持される足場板の隙間閉塞構造を考案した（特許文献８、実用新案登録請求の範囲、段落００２９〜同００３３、図７〜図１１等参照）。
【先行技術文献】
【特許文献】
【０００５】
【特許文献１】特許第３８５１１０５号公報
【特許文献２】意匠登録第１３５１９４２号公報
【特許文献３】実用新案登録第３０１９４８３号公報
【特許文献４】実用新案登録第３１９９６３５号公報
【特許文献５】特開２００２−２５６６９７号公報
【特許文献６】特開２００９−２４９８６１号公報
【特許文献７】特開２０１１−２２６２２１号公報
【特許文献８】実用新案登録第３２１８７２１号公報
【考案の概要】
【考案が解決しようとする課題】
【０００６】
この足場板の隙間閉塞構造の閉塞板１１は、図１５に示すように、裏表に重ねて積み重ねると、案内板１２’の高さの積み重ねとなって、嵩高となる。また、嵩高となることによって、その積み重ねが不安定となる。このため、ロック片１３に切り込み１３ａを形成して、その切り込み１３ａに閉塞板１１の側縁１１ｂを嵌めて上下の閉塞板１１を一体化して不安定さを解消することも考えられる。
しかし、この嵩高くなることは運搬時に不利であり、その嵩高をなくすことが望まれた。
【０００７】
この考案は、以上の実状の下、上記積み重ねた際の嵩高を解消することを課題とする。
【課題を解決するための手段】
【０００８】
上記課題を達成するため、この考案は、上記案内板１２’を閉塞板１１に対し起立状態から倒伏状態となるようにしたのである。
案内板１２’が起伏可能であれば、その案内板１２’を倒伏させた（倒して）閉塞板を積み重ねることができるため、図１５の従来に比べれば、嵩は極めて低いものとなる（図１３参照）。
【０００９】
具体的には、仮設足場の並列された隣接する足場板の隙間を閉塞する閉塞板構造又は足場板の隙間閉塞構造であって、前記隙間の両側の足場板の側縁上面に亘る閉塞板と、その閉塞板の側縁に起伏可能に設けた起伏板（案内板）と、その起伏板に設けられて前記足場板の側縁に係止するロック機構と、を有する構成を採用したのである。
【００１０】
上記ロック機構の一態様としては、上記起伏板に上下に移動可能に設けた上下方向のロック片と、そのロック片の下端の上向きコ字状に折れ曲がった係止部を有し、前記起伏板の起立状態で、起伏板を揺動させながら、係止部のコ字状の先端上向き係止片が足場板の側縁を越えてその側縁の内側に位置すると共に、その係止部の上向き係止片の足場板側縁の内側位置が維持される構成を採用することができる。
【００１１】
また、上記ロック機構の他の一態様としては、上記起伏板に上下に移動可能に設けた上下方向のロック片と、そのロック片の上部に設けた起伏自在のレバー片と、そのロック片の下端の上向きコ字状に折れ曲がった係止部を有し、前記起伏板の起立状態で、レバー片を起立させることによって、ロック片が起伏板に対して上下方向に移動し、レバー片を倒伏することによりそのレバー片が起伏板に係止してロック片の下降を阻止し、ロック片の上方への移動によって、係止部のコ字状の先端上向き係止片が足場板の断面コ字状側縁を越えてその側縁の内側に位置すると共に、レバー片が起伏板に係止した際、係止部の上向き係止片の足場板側縁の内側位置が維持される構成等を採用することができる。
【００１２】
これらのロック機構にあっては、係止部の上向き係止片の足場板側縁の内側位置が維持されると、閉塞板は横方向に動いても足場板の側縁に当接するため、足場板から外れることがない。このため、閉塞板による足場板の隙間閉塞は安定して担保される。
【００１３】
上記ロック片は、起伏板内で上下方向の軸心回りに回転可能とすれば、その回転によって、上記係止部の上向き係止片が足場板の側縁又は端縁の内側又は外側に選択的に位置するようにすることができる。
【００１４】
これらの構成において、レバー片を、その長さ方向中央より下方でロック片に起伏自在に取りつければ、レバー片は自重で倒伏することとなって、起伏板に自然に係止する。このため、レバー片は人為的に起立させない限り、ほぼ起立することがなく、係止部の上向き係止片の足場板側縁の内側位置が維持され、閉塞板が足場板から外れることがない。
また、足場板の長さ方向の端縁が下方に突出する端壁を有するものであれば、レバー片が起伏板に係止し、係止部の上向き係止片の足場板側縁の内側位置が維持される状態において、ロック片が前記端壁に対向する構成を採用することができる。このようにすると、閉塞板の長さ方向の動きに対し、ロック片が前記端壁に当接することによって、その動きが阻止される。
【考案の効果】
【００１５】
この考案は、以上のように構成したので、作業性も良く、コスト的に有利な足場板の隙間閉塞構造を得ることができる。また、閉塞板を積み重ねた際、その嵩が極めて低いものとなって、運搬等に有利なものとなる。
【図面の簡単な説明】
【００１６】
【図１】この考案に係る仮設足場の一実施形態の概略斜視図
【図２】同実施形態の足場板間の閉塞板の裏返した状態の斜視図
【図３】図２の要部拡大図
【図４】図２の作用説明用要部拡大図
【図５】図２の分解斜視図
【図６】同閉塞板の足場板間への取付け説明図であり、（ａ）は要部切断側面図、（ｂ）は（ａ）の切断左側面図
【図７】同閉塞板の足場板間への取付け説明用概略断面図
【図８】同取付け説明用概略断面図
【図９】同ロック機構の折り畳み（倒伏）作用説明用断面図
【図１０】同作用説明用部分斜視図
【図１１】同作用説明用断面図
【図１２】図１１（ｂ）の要部拡大図
【図１３】この実施形態に係る閉塞板の積み重ね状態の概略断面図
【図１４】従来の足場板間の閉塞板の裏返した状態の要部斜視図
【図１５】同従来例の積み重ね状態の概略断面図
【考案を実施するための形態】
【００１７】
この考案の一実施形態を図１〜図８に示し、この実施形態に係る仮設足場は、図１に示すように、建地材となる縦柱等の前後一対の支柱１、１の複数を建物Ｈに沿って所要間隔で立設し、その建物に沿った支柱１、１間の高さ方向の適宜位置に足場板２を設けるとともに、その足場板２の前面に手摺り付筋交い３を設けた緊結型枠組足場構造である。
【００１８】
支柱１は、図１に示すように、その長さ方向所要間隔で緊結部（コマ）となるフランジ４が設けられており、そのフランジ４には周囲４等分位（前後左右）に係止孔が形成されている。フランジ４の上下高さ方向（前記長さ方向）の間隔は安全技術基準に基づき足場板２の設置高さ等を考慮して適宜に設定される。この実施形態では、フランジ４は、手摺り付筋交い３の取付ピッチ（間隔）の半分のピッチで設けられている。
【００１９】
足場板２は、四角枠内に網板やパンチング板等を設けた長方形の床板２ａと、その床板２ａの前後縁の両端に設けたフック６とからなり、従来と同様、そのフック６をパイプ状布材５に引っかけて左右の支柱１、１間に掛け渡される（設けられる）。床板２ａ（足場板２）の側縁２ｂは、内側に向く断面コ字状となって、機械的強度が向上されている（補強がなされている）。そのコ字状の側縁２ｂは先端に立ち上がり壁２ｃを有する（図７、図８参照）。また、床板２ａ（足場板２）の長さ方向の端縁（端壁）も同様な内側に向く断面コ字状となっている（特許文献８図（ｂ）の符号２ｄ参照）。
布材５は、左右の支柱１、１間に亘る横ステーの端を係止金具でもってフランジ４の係止孔に係止することによって前後の支柱１、１間に掛け渡される（特許文献２使用状態を示す参考図１参照）。
【００２０】
その足場板２の前後面に手摺り付筋交い３が取付けられる。手摺り付筋交い３は、手摺りとなる水平杆３ａと、その水平杆３ａの両端に回転自在に設けた筋交いとなるＸ字状の斜杆３ｂとからなり、その両斜杆３ｂの上端にフックをそれぞれ有し、斜杆３ｂの先端（下端）に二叉状の係止部を有している。このため、両斜杆３ｂの上端のフックを支柱１のフランジ４の左右の係止孔に嵌め込み、その後、斜杆３ｂの係止部を前記フランジ４より下側のフランジ４に係止して取付ける（特許文献１図６〜図８参照）。
なお、この手摺り付筋交い３は、取付ける支柱１、１間の長さによって上記の水平杆３ａ、斜杆３ｂの長さを異ならせる。
【００２１】
このような仮設足場において、隣接する足場板２、２の隙間Ｓを閉塞する構造及び閉塞板構造がこの考案であり、この実施形態の足場板２、２の側縁２ｂ、２ｂ間の隙間閉塞構造（閉塞板構造）は、隙間Ｓの両側の足場板２、２の側縁２ｂ上面に亘る閉塞板（プレート）１１をロック機構１０によって足場板２に固定するものである。このロック機構１０は、閉塞板１１の両端に設けられている（図２参照）。
【００２２】
閉塞板１１は、両側縁が傾斜部１１ａとなってその傾斜部１１ａが隣接する足場板２、２の側縁２ｂ、２ｂ上面にあてがわれる（図７、図８（ｂ）参照）。このため、閉塞板１１の幅（図２の横方向長さＬ）及び長手方向（Ｌの直交方向）の長さは、種々の隙間Ｓの幅や長さに対応できるように、実験及び実際の施工現場の実情に合わせて適宜に設定する。例えば、足場板２と同様の長手方向：１７７０ｍｍ、短手方向Ｌ：２６０ｍｍとする。足場板２や閉塞板１１は穴あきのものとし得る（特許文献８、図１７、図１８参照）。図１、図２においては、その長手方向は足場板２の半分の長さ（８８５ｍｍ）としている。
【００２３】
上記ロック機構１０は、図３〜図５に示すように、断面Ｌ字状の起伏板（案内板、揺動板）１２と、その起伏板１２に設けた丸棒からなるロック片１３と、そのロック片（杆）１３の上部のレバー片１４とを有する（図３〜図５等参照）。起伏板１２は、上縁に後側に突出する突片１２ａ、両側縁に軸受孔が形成された支片１２ｂを有する。
起伏板１２の両側の閉塞板１１にＬ形鋼からなる対の支持片１５が溶接やリベット止め、ビス止め等でそれぞれ固定されており、その対の支持片１５、１５の間の閉塞板１１に切欠き１０ａが形成されており、この切欠き１０ａを介して閉塞板１１の表面（図２の裏面）からレバー片１４を操作する。
また、両支持片１５、１５は起伏板１２の支片１２ｂに対向する支軸１５ａ、１５ａを有し、この支軸１５ａを前記支片１２ｂの軸受孔に嵌め込むことによって起伏板１２が閉塞板１１に対し起立状態から倒伏状態又は逆となるように折り畳み（揺動）可能となっている（図３、図４参照）。
【００２４】
起伏板１２には、中程に膨出部１６ａを有するプレート片１６が溶接やリベット止め、ビス止め等で固定されており、その膨出部１６ａに前記ロック片１３が上下に移動自在かつ回転可能に設けられている（挿通されている）。
ロック片１３の下端は上向きコ字状に折れ曲がった係止部１８となっている（有する）。係止部１８は、ロック片１３の下端から前方（足場板２の内側）に延びる水平片１８ａと、その水平片１８ａの先端から上方に立ち上がる立片（係止片）１８ｂとからなる。この水平片１８ａ及び立片１８ｂの長さは足場板２の側縁２ｂの形状に応じ、下記の係止部１８と足場板２の側縁２ｂとの係止が円滑に行われるように適宜に設定する。
【００２５】
レバー片１４は、ロック片１３下端の溝１３ｂに嵌められてピン２０によってそのピン２０周りに揺動自在となっており、膨出部１６ａの端縁（上面開口縁）に係止することによってロック片１３に対し水平状態となる（図３参照）。レバー片１４はその上部（一端）に横方向に突出する突片（摘み片）２３を有し、その摘み片２３を摘んでロック片１３に対して起立させて（同軸上にして）ロック片１３を上下動させる。
レバー片１４が起立して下降させた状態では、図６実線に示すように、突片２３がプレート片１６（膨出部１６（ａ））上端縁に係止してそれ以上のロック片１３の下降を防止する。このロック片１３の下降が防止（阻止）された状態において、図６（ｂ）実線に示すように、ロック片１３の係止部１８は足場板２のコ字状側縁２ｂの下方に位置する（図７参照）。
【００２６】
そのロック片１３の係止部１８が足場板２のコ字状側縁２ｂの下方に位置して対向した状態において、図６（ｂ）鎖線及び図７実線で示すように、レバー片１４を持ち上げると、ロック片１３の係止部１８が上昇して、その立片１８ｂが足場板２のコ字状縁部２ｂの立ち上がり壁２ｃに対向（係止）する。
この状態から、図６（ａ）鎖線、同（ｂ）及び図７実線で示すようにレバー片１４を倒すと（倒伏すると）、レバー片１４が起伏板１２の上縁に当接して、前記係止部１８の立片１８ｂは足場板２のコ字状縁部２ｂの立ち上がり壁２ｃに対向する状態を維持する。
【００２７】
この状態において、閉塞板１１の横方向（図７左右方向）への移動は、その立片１８ｂと足場板側縁２ｂの立ち上がり壁２ｃの当接及び起伏板１２の足場板側縁２ｂとの当接（図７参照）によって阻止される。このため、閉塞板１１は足場板２から抜け出なくなって、足場板２、２の間に閉塞板１１が取り付けられてその隙間Ｓを安定して塞ぐ。この状態は、ロック機構１０の側（図７において右側）で閉塞板１１は固定され、他の側（同左側）は自由となって、その自由の幅（足場板２との重なり幅）の範囲内において、隙間Ｓの大きさに対応できる。このとき、その重なり幅は、人が乗っても支障がない程度とする。
【００２８】
この考案に係る実施形態の足場板２、２の側縁２ｂ、２ｂ間の隙間閉塞構造及び閉塞板構造は以上の構成であり、図１に示す、足場板２、２の側縁２ｂ、２ｂの隙間Ｓにこの隙間閉塞構造を構成するには、図７の鎖線で示す、ロック機構１０のロック片１３を足場板側縁２ａに沿わして下げた状態にして、閉塞板１１をその隙間Ｓに臨ませ、一方の足場板２（同図においては右側足場板２）側から、ロック片１３がその隙間Ｓに入るように、その隙間Ｓの両足場板２、２の側縁２ｂ、２ｂの上面にあてがうととともに、ロック片１３を足場板２（図７では右側の足場板２）の側縁２ｂに当接する（図７の白抜き矢印参照）。
【００２９】
その状態において、図７の下図鎖線から実線に示すように、レバー片１４でもってロック片１３を回しながら持ち上げると、その係止部１８が足場板２の側縁２ｂに係止する（下方に臨む）。つぎに、レバー片１４を倒すと、突片２３が起伏板１２の上縁に係止して、係止部１８が足場板２の側縁２ｂに係止する状態を維持する。このため、両足場板２、２の間に閉塞板１１が亘ってその隙間Ｓが閉塞される。また、起伏板１２のＬ字状突片１２ａが足場板２の上面に載るため、滑りにくく、閉塞板１１が安定する（図７、図８参照）。
【００３０】
このとき、レバー片１４は、その長さ方向中央より下方でロック片１３にピン２０を介して取り付けられているため、人が倒さなくても、自重で倒れて（倒伏して）、起伏板１２に自然に係止する。また、この閉塞板１１の閉塞状態において、レバー片１４は透孔（切欠き）１０ａ（閉塞板１１）の上面と面一かそれより下方に位置して（図６（ａ）鎖線状態参照）、人によって立ち上げない限り、容易に立ち上がらないようになっている。このため、レバー片１４は人為的に起立させない限り、ほぼ起立することがなく、係止部１８の上向き立片１８ｂの足場板側縁２ｂの内側位置が維持され、閉塞板１１が足場板２から外れることがない。
【００３１】
足場板２内に入ったロック片１３は足場板２のコ字状端縁（図１において左右の端縁）に臨み（近接して対向し）、その端縁の端壁にロック片１３又は起伏板１２の側縁が当接することによって、閉塞板１１のその長手方向（長さ方向）への移動は阻止される。
【００３２】
この隙間閉塞構造において、閉塞板１１を両足場板２、２から外すには、前記操作と逆に、摘み片２３でもってレバー片１４を立ち上げ（図６（ａ）の鎖線状態）、ロック片１３を下降させて、図７の鎖線状態から回転させて足場板側縁２ｂに沿わせた後、図７の反白抜き矢印方向に閉塞板１１を動かせば良い。このとき、図７に示すように、隙間Ｓに布材５等が存在しても、Ｌ字状係止部１８が布材５等に沿っているため、その隙間Ｓから容易に取り出すことができる。
【００３３】
なお、この閉塞板１１はその取付け時、起伏板１２が閉塞板１１に対し起立状態から倒伏状態となるように折り畳み可能（揺動可能）となっているため、足場板２への嵌め込み時、その起伏板１２が後退して足場板２の側縁２ａに嵌めることができる。
すなわち、ロック機構１０は図８（ａ）鎖線に示すように揺動するため、ロック片１３を図７上側鎖線で示すように足場板側縁２ｂに沿わせることなく、ロック片１３を下ろし、同図鎖線の起伏板１２の起立状態（ロック片係止部１８が足場板側縁２ｂに対向している状態）で、起伏板１２（ロック機構１０）を揺動させながら、係止部１８の係止片１８ｂが足場板２の断面コ字状側縁２ｂを越えてその側縁２ｂの内側に位置させることができる。この後、図８（ｂ）に示すように、ロック片１３を上昇させて、その係止部１８の上向き係止片１８ｂを足場板側縁２ｂの内側に位置させて足場板２の側縁２ｂに係止することができる。
【００３４】
この隙間閉塞構造をなす閉塞板１１を積み重ねるには、図９（ａ）から同図（ｂ）に示すように、レバー片１４を立ち上げてロック片１３を下降するとともに、閉塞板１１の幅方向に回転させて係止部１８を閉塞板１１の幅方向に向かせた後（同図（ａ）→同（ｂ）→（ｃ））、起伏板１２を折り畳んで閉塞板１１に沿わせる（同図（ｄ）、図１０（ａ））。その状態において、図１０（ｂ）に示すように、レバー片１４を引いて閉塞板１１の裏面に宛がう。この状態は、レバー片１４及びその突片２３によって起伏板１２の起立が少なからず阻止される。このため、閉塞板１１を表裏逆にしてもロック機構１０が自重で大きく垂れ下がる（起立）することはない。
【００３５】
この状態の閉塞板１１の２枚を、図１１に示すように裏表逆にして重ねる。このとき、図１２に示すように、起伏板１２のＬ字状突片１２ａに閉塞板１１の側縁を嵌めて重なった閉塞板１１、１１を一体とする。
この重なった２枚の閉塞板１１、１１は、図１３に示すように積み重ねることができる。この積み重ね状態は、図１５の積み重ね状態に比べて極めて嵩が低いものとなる。このため、不要な場合の置き状態や運搬時に嵩が低くて有利なものとなる。このとき、同図に示すように、帯鉄３０で締結することが好ましい。図１３では、帯鉄３０は切欠き１０ａを通している。
【００３６】
閉塞板１１としては、足場板２と同じ長さの物でなくても、その長さ方向に複数分割した、例えば、図１に示すように２分割したものとすることもできる。この閉塞板１１は、足場が完成した後に取りつける場合が多いため、長尺のものより、分割して持ちやすいものが好まれる。
この考案は、図１に示す仮設足場の場合であったが、足場板を並列する他の種々の構造の仮設足場、例えば、仮設ステージにおいて、その足場板２、２の間の隙間Ｓの閉塞にも使用できる。
また、仮設足場において、足場板２の長さ方向の突き当たり部分やコーナ部分おいても、この閉塞板１１を設けてその部分の隙間Ｓを閉塞できる。
【００３７】
なお、上記ロック機構１０は、上記実施形態の構成に限らず、種々のロック機構において、その支持板を起伏可能にすることによってこの発明の作用効果を得ることができる。
また、前記実施形態は、クサビ緊結式足場であったが、縦柱と横柱（横地材ともいう）から構成されるＨ形状や鳥居形状の建枠を使用する建枠型枠組足場等の足場板でもって足場を構成する種々の仮設足場においても、この考案は、それらの足場板の隙間の閉塞に使用し得ることは勿論である。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００３８】
１  支柱
２  足場板（踏板）
２ａ  足場板の床板
２ｂ  足場板の側縁
２ｃ  同側縁の立ち上がり壁
２ｄ  足場板の長さ方向の端縁（端壁、側片）
３  手摺り付筋交い
４  フランジ（緊結部）
５  足場板取付用布材
６  フック
１０  ロック機構
１１  閉塞板（プレート）
１２  ロック機構の起伏板（案内板、揺動板）
１２ａ  起伏板の突片
１２ｂ  軸受孔を有する支片
１３  ロック片
１４  レバー片
１５  支持片
１５ａ  支軸
１６  プレート片
１８  レバー片下部の係止部
１８ａ  同係止部の水平片
１８ｂ  同係止片（同立片）
２０  レバー片の揺動ピン
２３  突片（摘み片）
【図１】
0003221495.tif 000003
【図２】
0003221495.tif 000004
【図３】
0003221495.tif 000005
【図４】
0003221495.tif 000006
【図５】
0003221495.tif 000007
【図６】
0003221495.tif 000008
【図７】
0003221495.tif 000009
【図８】
0003221495.tif 000010
【図９】
0003221495.tif 000011
【図１０】
0003221495.tif 000012
【図１１】
0003221495.tif 000013
【図１２】
0003221495.tif 000014
【図１３】
0003221495.tif 000015
【図１４】
0003221495.tif 000016
【図１５】
0003221495.tif 000017